(57)【要約】【課題】デジタルテレビ放送受信のためのアンテナを建物の窓に設けるにあたり、アンテナの劣化を防止するとともに、窓の開閉によっても受信性能を低下させない、建築窓用の合わせガラスとこの合わせガラスを用いた建築窓構造を得る。【解決手段】２枚のガラス板１ａ、１ｂ間に、アンテナパタンと第１の電極とを有するフィルムを封入した中間膜２ａ、２ｂが介在された合わせガラス１０を用い、第１の電極に第２の電極を容量結合することで、アンテナパタンで受信したテレビ放送信号を室内に取り出す合わせガラスとこの合わせガラスを用いた建築窓構造。【特許請求の範囲】
【請求項１】
複数枚のガラス板と中間膜とを有し、前記ガラス板が中間膜を介して積層された合わせガラスであって、前記複数枚のガラス板のそれぞれの対抗面の間にデジタルテレビ放送受信アンテナが封入されていることを特徴とする合わせガラス。
【請求項２】
前記中間膜は複数枚あり、該複数枚の中間膜の間に前記デジタルテレビ放送受信アンテナのアンテナパタンおよび該アンテナパタンに接続された第１の電極を有するフィルムが介在されている請求項１に記載の合わせガラス。
【請求項３】
前記複数枚のガラス板の少なくとも１枚の前記中間膜に対向する面に、前記デジタルテレビ放送受信アンテナのアンテナパタンおよび該アンテナパタンに接続された第１の電極が印刷されている請求項１に記載の合わせガラス。
【請求項４】
前記アンテナパタンが、線幅５〜２０μｍ、線どうしの間隔１５０〜３００μｍのメッシュの集合体で形成されている、請求項２または３に記載の合わせガラス。
【請求項５】
建築窓用の、請求項１、２、３または４に記載の合わせガラス。
【請求項６】
請求項５に記載の合わせガラスと、該合わせガラスの室内側面の上辺部に帯状に設けられた、第１の電極と容量結合し前記アンテナパタンで受信したデジタルテレビ放送受信信号を受け取る第２の電極と、第２の電極に対向するように室内に固定され室内側テレビチューナに前記信号を伝送するケーブルに接続される第３の電極と、を備えたデジタルテレビ放送受信アンテナ付き建築窓構造。
【請求項７】
第１の電極が上辺部に帯状に設けられた請求項５に記載の合わせガラスと、第１の電極に対向するように室内に固定され、第１の電極と容量結合し前記アンテナパタンで受信したデジタルテレビ放送受信信号を受け取り室内側テレビチューナに前記信号を伝送するケーブルに接続される第３の電極と、を備えたデジタルテレビ放送受信アンテナ付き建築窓構造。
【発明の詳細な説明】
【技術分野】
【０００１】
本発明は、デジタルテレビ放送受信アンテナを有する合わせガラスとこの合わせガラスを用いたデジタルテレビ放送受信アンテナ付き建築窓構造に関する。
【背景技術】
【０００２】
地上テレビ放送は、２００４年末からデジタル放送が試験的に開始された。デジタル放送は、２００５年末には本格的な放送が開始され、２０１１年にはアナログ放送から全面的に切り替わる。従来のアナログ放送は、屋根の上に設置されたアンテナにより電波を受信し、建物内に配されたケーブルによりテレビチューナに信号が伝達される。
【０００３】
しかし、屋根に設置されたアンテナは、台風や低気圧の通過による風の影響、鳥や小動物の影響、などにより破損しやすい。また、経年変化により錆びが発生し受信性能が劣化する。
【０００４】
このように外的要因の影響を受けやすい屋根の上のアンテナに対し、建物の窓にアンテナを設けることが提案されている（例えば特許文献１参照）。これらのアンテナでは受信感度が充分でなく、これまでは実際に窓に設けられたアンテナは使用されていなかった。受信感度が充分でなかった大きな要因には、従来の電波がアナログ電波であったことがあげられる。そのため、電波がアナログ電波からデジタル電波に変わることを契機に、再び建築窓でテレビ放送を受信することが検討できると想定される。
【０００５】
【特許文献１】特開平５−１８３３２３号公報
【発明の開示】
【発明が解決しようとする課題】
【０００６】
従来のアナログ電波受信のための窓に設けられたアンテナも、原理的にはデジタル電波受信が可能と推定できる。すなわち、アナログ電波と違いデジタル電波は指向性に関する制限が小さいため、ある程度の面積にアンテナパタンが張り巡らされたシートであれば、受信が可能と考えられるからである。
【０００７】
しかし、従来の窓に設けられたアンテナは、室内側または室外側に露出しているため、耐久性が充分でなかった。さらに、デジタル電波は一瞬電波が遮られると画像、音声などが完全に途切れるため、窓の開閉の度に映像や音声が寸断される不具合があった。
【０００８】
本発明は、デジタル放送に適したアンテナを有する合わせガラスおよびこれを用いたデジタルテレビ放送受信アンテナ付き建築窓構造を提供することを目的とする。
【課題を解決するための手段】
【０００９】
本発明は、複数枚のガラス板と中間膜とを有し、前記ガラス板が中間膜を介して積層された合わせガラスであって、前記複数枚のガラス板のそれぞれの対抗面の間にデジタルテレビ放送受信アンテナが封入されていることを特徴とする合わせガラスを提供する。この場合、前記中間膜は複数枚あり、該複数枚の中間膜の間に前記デジタルテレビ放送受信アンテナのアンテナパタンおよび該アンテナパタンに接続された第１の電極を有するフィルムが介在させるか、前記複数枚のガラス板の少なくとも１枚の前記中間膜に対向する面に、前記デジタルテレビ放送受信アンテナのアンテナパタンおよび該アンテナパタンに接続された第１の電極を印刷することで、合わせガラスにアンテナを設けることは好ましい。
【００１０】
また、前記アンテナパタンが、線幅５〜２０μｍ、線どうしの間隔１５０〜３００μｍのメッシュの集合体で形成されていることは、室内または室外から窓を見た際にアンテナパタンが目立たないので好ましい。
【００１１】
さらに本発明は、上記の合わせガラスと、該合わせガラスの室内側面の上辺部に帯状に設けられた、第１の電極と容量結合し前記アンテナパタンで受信したデジタルテレビ放送受信信号を受け取る第２の電極と、第２の電極に対向するように室内に固定され室内側テレビチューナに前記信号を伝送するケーブルに接続される第３の電極と、を備えたデジタルテレビ放送受信アンテナ付き建築窓構造、または第１の電極が上辺部に帯状に設けられた上記の合わせガラスと、第１の電極に対向するように室内に固定され、第１の電極と容量結合し前記アンテナパタンで受信したデジタルテレビ放送受信信号を受け取り室内側テレビチューナに前記信号を伝送するケーブルに接続される第３の電極と、を備えたデジタルテレビ放送受信アンテナ付き建築窓構造、を提供する。
【発明の効果】
【００１２】
本発明によれば、デジタルテレビ放送受信アンテナを合わせガラスに封入しているので、建築窓に設けられたデジタルテレビ用アンテナとして、アンテナの劣化を防ぐことができ、自然現象などに強いアンテナを提供できる。さらに、容量結合を用いることで窓の開閉による電波の乱れを防ぐことができる。
【発明を実施するための最良の形態】
【００１３】
以下、図面に基づき本発明をさらに詳細に説明する。図１は、本発明の合わせガラスの一例を示す概略断面図である。本例における合わせガラス１０は、２枚のガラス板１ａ、１ｂと中間膜２ａ、２ｂとデジタルテレビ放送受信アンテナ付きフィルム３とからなる。フィルム３は、中間膜２ａ、２ｂ間に封入されている。ガラス板１ａ、１ｂは、中間膜２ａ、２ｂを介して積層されている。中間膜としては、通常ポリビニルブチラールからなる合成樹脂膜を利用できる。合わせガラス１０を建築窓に用いた場合に、室内側に配されるガラス板１ａの室内側面上辺部には、第２の電極３２が設けられている。
【００１４】
図２は、図１の合わせガラスを用いた本発明の建築窓構造の一例を示す概略正面図、図３はアンテナパタンの一例を示す部分拡大正面図、図４は、図２の上部概略断面図である。フィルム３には、デジタルテレビ受信アンテナパタン３０と、合わせガラスの上辺部に相当する位置にアンテナパタン３０に接続された帯状の第１の電極３１とが形成されている。本例では、フィルム３はポリエチレンテレフタレートからなり、アンテナパタン３０および第１の電極３１はフィルム３上にスパッタリング法により設けられた銅メッシュの集合体からなる。図３に示すように、本例では線幅１０μｍ、間隔（ｐ）２５０μｍのメッシュの集合体により、アンテナパタン３０および第１の電極が形成されている。室内側のガラス板１ａの上辺部には、帯状の第２の電極３２が形成されている。第１の電極３１と第２の電極３２とは容量結合しており、アンテナパタン３０で受信したデジタルテレビ放送受信信号を第１の電極３１を介して第２の電極３２に伝達する。窓のはめ込み位置のやや上方の室内壁には、Ｌ字状の固定具３４が固定されており、固定具３４を介して、第２の電極３２に対向するように第３の電極３３が固定されている。こうして、第２の電極３２に伝達された信号を第３の電極３３を介してケーブル３５により室内側テレビチューナに伝送する。
【００１５】
こうして、窓（合わせガラス１０がサッシ１１にはめ込まれた構造）の開閉によりアンテナパタン３０の位置が移動しても、移動方向である左右方向に帯状に設けられた第１、２の電極３１、３２に対する第３の電極３３の位置は電気的に変わらないので、窓の開閉による受信感度への影響を低減できる。なお、第３の電極３３と第２の電極３２とは、接触していても若干離間していてもよい。接触している場合には、第３の電極３３の第２の電極３２に対向する面に、柔軟性を有するシートを設けることが、第２、３の電極３２、３３の磨耗による劣化を防止できるので好ましい。
【００１６】
第３の電極を極力ガラス板１ａに近づけることができれば、第２の電極を省くこともできる。この場合、第１の電極と第３の電極とが容量結合し、アンテナパタンで受信したデジタルテレビ放送受信信号を第１の電極を介して第３の電極に伝達する。
【００１７】
図５は、本発明の合わせガラスを用いた複層ガラスによる窓構造の一例を示す上部概略断面図である。合わせガラス１１は、図１の例と同じ構成を有する。複層ガラス２０は、合わせガラス１１を室外側に、単板ガラス４１を室内側にそれぞれ配し、両者間に空気層４３が介在するようにスペーサ４２で間隔保持されたものである。単板ガラス４１の空気層４３側の面には金属酸化物からなる低放射膜４４がコーティングされている。
【００１８】
低放射膜４４は電波を通さないまたは通しにくいので、低放射膜４４を回避して電波を伝達させる必要がある。本例では、合わせガラス１１に封入されたフィルムに設けられたアンテナパタンに接続する第１の電極３１と第２の電極３２’とを容量結合させており、アンテナパタンで受信したデジタルテレビ放送受信信号を第２の電極３２’に伝達する。第２の電極３２’は、断面略コ字に形成された長尺状の導電体で、一方の縦部分が合わせガラス１０の空気層４３側のガラス板面に、底部分が複層ガラス４０のスペーサ４２、単板ガラス板４１の端部に、もう一方の縦部分が単板ガラス板４１の室内側面に配されるように、複層ガラス４１に装着されている。
【００１９】
先の例と同様に、窓のはめ込み位置のやや上方の室内壁には、Ｌ字状の固定具３４が固定されており、固定具３４を介して、第２の電極３２’（単板ガラス４１側）に対向するように第３の電極３３が固定されている。第２の電極３２’と第３の電極３３とは容量結合しており、第１の電極３１と第２の電極３２との容量結合により第２の電極３２に伝達されたデジタルテレビ放送受信信号を、第３の電極３３に伝達する。こうして、第３の電極３３に伝達された信号をケーブル（図示せず）を介して室内側テレビチューナに伝送する。
【００２０】
本例では、第１の電極３１と第２の電極３２’とを合わせガラス１０の空気層４３側のガラス板をまたいで容量結合させているが、第２の電極の一方の縦部分を合わせガラス１０内に挿入し、合わせガラス１０内で第１の電極と第２の電極とを容量結合させてもよい。また、類似の構造であって、合わせガラス１０内で第２の電極を直接第１の電極に接触させてもよい。
【００２１】
デジタルテレビ放送の電波を充分受信できない場合には、第３の電極に別途アンプを組み付けることもできる。この場合、固定具に第３の電極とともにアンプを取り付け、アンプに室内壁のコンセントからの電源を供給することで、受信感度を向上できる。さらに、電源を供給できることに鑑み、第３の電極、アンプとともに発信装置を取り付けることもできる。これにより、受信した信号を発信装置から電波により室内に発信することができる。室内に発信された電波は、テレビチューナまたはテレビ画面に受信器を取り付けておくことで、テレビ側受信機に受信させることができる。こうして、ケーブル配線することなくることにより、受信したデジタルテレビ放送の電波を建物内のテレビに無線配信できる。さらに、建物内の複数のテレビに無線配信できることになり、各部屋にケーブルを張り巡らす必要もなくなる。
【００２２】
本発明におけるアンテナパタンや第１、２の電極は、メッシュの集合体ではなく所定の幅をもった線状でもよい。窓にアンテナが設けられていることを見せたい場合にはこのような線状にすればよく、目だたたくしたい場合にはメッシュの集合体にすればよい。
【００２３】
これまで述べた例では、フィルムに設けられたアンテナパタンおよび第１の電極を２枚の中間膜に介在させたが、ガラス板の中間膜に対向する面に、導電ペーストの焼成体のプリントや導電材料のスパッタリングによるプリントをしてもよい。
【産業上の利用可能性】
【００２４】
本発明の合わせガラスによれば、デジタルテレビ放送の受信に適したアンテナを窓に設けることができるので、自然現象に耐えることのできる、アンテナを得ることができる。さらに、本発明の建築窓構造によれば、窓にデジタルテレビ放送用アンテナを備えることができ、窓の開閉によっても受信性能を維持できる。こうして、従来のアナログ電波からデジタル電波に切り替わるテレビ放送に適した窓アンテナを得ることができる。
【図面の簡単な説明】
【００２５】
【図１】本発明の合わせガラスの一例を示す概略断面図である。
【図２】図１の合わせガラスを用いた本発明の窓構造の一例を示す概略正面図である。
【図３】図３はアンテナパタンの一例を示す部分拡大正面図である。
【図４】図２の上部概略断面図である。
【図５】本発明の合わせガラスを用いた複層ガラスによる窓構造の一例を示す上部概略断面図である。
【符号の説明】
【００２６】
１ａ、１ｂ：ガラス板
２ａ、２ｂ：中間膜
３：アンテナ付きフィルム
３０：アンテナパタン
３１：第１の電極
３２：第２の電極
３３：第３の電極
３４：固定具
【図１】
2006193338.tif 000002
【図２】
2006193338.tif 000003
【図３】
2006193338.tif 000004
【図４】
2006193338.tif 000005
【図５】
2006193338.tif 000006